(57)【要約】【課題】番組の選択時間の短縮化及び操作プロセスの簡素化を図る。【解決手段】番組放送機能を行うための表示ユニットを有する電子装置に適用され、少なくとも処理ユニットと、前記処理ユニットに電気的に接続され、使用者が表示画面の切り替えコマンド及びチャネル選択コマンドを入力し、それを前記処理ユニットに転送するようにするための入力ユニットと、前記処理ユニットに電気的に接続され、前記処理ユニットが前記入力ユニットからの切り替えコマンドがマルチ画面表示のコマンドであることを受信した場合、複数のチャネルの番組コンテンツを取り入れするようにするための取り入れモジュールと、記憶ユニットと、を備える。【選択図】  図１
2007028571.tif 000002
【特許請求の範囲】
【請求項１】
表示ユニットを有し、番組放送機能を持つ電子装置に適用される番組ブラウジングシステムにおいて、少なくとも
処理ユニットと、
前記処理ユニットに電気的に接続され、使用者が表示画面の切り替えコマンド及びチャネル選択コマンドを入力し、それを前記処理ユニットに転送するようにするための入力ユニットと、
前記処理ユニットに電気的に接続され、前記処理ユニットが前記入力ユニットからの切り替えコマンドがマルチ画面表示のコマンドであることを受信した場合、複数のチャネルの番組コンテンツを取り入れするようにするための取り入れモジュールと、
前記処理ユニットと取り入れモジュールに電気的に接続され、前記取り入れモジュールにより取り入れられた複数のチャネルの番組コンテンツが記憶され、前記処理ユニットが前記複数のチャネルの番組コンテンツにしたがって前記表示ユニットに少なくとも１ページのマルチ画面方式によって表示させ、前記入力ユニットからのチャネル選択指令が受信された場合、選択コマンドにより指示された画面にしたがって前記画面に対応するチャネルの番組コンテンツを取得し動的に放送させるようにするための記憶ユニットと、
を備えることを特徴とする番組ブラウジングシステム。
【請求項２】
前記入力ユニットによって使用者が表示画面の切り替えコマンドを入力することは、切り替えインタフェースを介するものであることを特徴とする請求項１に記載の番組ブラウジングシステム。
【請求項３】
前記入力ユニットからの切り替えコマンドはさらに単一画面表示コマンドを備え、前記処理ユニットが前記入力ユニットからの前記単一画面表示コマンドを受信した場合、前記表示ユニットに１つのチャネルの番組コンテンツを単一画面で表示させるようにすることを特徴とする請求項１に記載の番組ブラウジングシステム。
【請求項４】
前記処理ユニットが選択コマンドにより指示される画面にしたがって取得したチャネルの番組コンテンツは、前記選択コマンドが受信されたあと、取り入れモジュールがチャネルの番組コンテンツの取り入れを行って得られたものであることを特徴とする請求項１に記載の番組ブラウジングシステム。
【請求項５】
前記処理ユニットは、前記記憶ユニットに記憶された複数のチャネルの番組コンテンツにしたがって、前記表示ユニットにより複数のチャネルの番組コンテンツに対応する画面を対応する表示ページにページ分け表示方式によってそれぞれ表示させ、前記入力ユニットが受信したページ切り替えコマンドに基づいて前記表示ユニットにページの切り替えを行わせることを特徴とする請求項１に記載の番組ブラウジングシステム。
【請求項６】
表示ユニット及び入力ユニットを有し、番組放送機能を持つ電子装置に適用される番組ブラウジング方法において、少なくとも
前記電子装置が前記入力ユニットがマルチ画面表示の切り替えコマンドを受信したことを判定する場合、複数のチャネルの番組コンテンツを取り入れ、記憶するようにするためのステップと、
使用者がブラウジングするように、前記記憶された複数のチャネルの番組コンテンツを読み出し、それを少なくとも１ページであるマルチ画面方式によって前記表示ユニットに表示させるようにするためのステップと、
前記電子装置が前記入力ユニットが所要とするチャネルの番組コンテンツの選択コマンドを受信したことを判定した場合、前記選択コマンドにより指示された画面にしたがって前記画面に対応するチャネルの番組コンテンツを取得し動的に放送させるようにするためのステップと、
を備えることを特徴とする番組ブラウジング方法。
【請求項７】
前記電子装置が選択コマンドにより指示される画面にしたがって取得したチャネルの番組コンテンツは、前記選択コマンドが受信されたあと取り入れられたチャネルの番組コンテンツであることを特徴とする請求項６に記載の番組ブラウジング方法。
【請求項８】
前記記憶された複数のチャネルの番組コンテンツを読み出し、それを少なくとも１ページであるマルチ画面方式によって前記表示ユニットに表示させている画面は、静止画であることを特徴とする請求項６に記載の番組ブラウジング方法。
【請求項９】
前記電子装置は、記憶された複数のチャネルの番組コンテンツにしたがって、前記表示ユニットにより複数のチャネルの番組コンテンツに対応する画面を対応する表示ページにページ分け方式によってそれぞれ表示させ、前記入力ユニットが受信したページ切り替えコマンドに基づいて前記表示ユニットにページの切り替えを行わせることを特徴とする請求項６に記載の番組ブラウジング方法。
【請求項１０】
前記入力ユニットからの切り替えコマンドはさらに単一画面表示コマンドを備え、前記電子装置が前記入力ユニットからの前記単一画面表示コマンドを受信した場合、前記表示ユニットに１つのチャネルの番組コンテンツを単一画面で表示させるようにすることを特徴とする請求項６に記載の番組ブラウジング方法。
【発明の詳細な説明】
【技術分野】
【０００１】
本発明は、チャネルの番組コンテンツのブラウジング（ｂｒｏｗｓｉｎｇ）処理に関し、特に画面切り替えの表示方式によってチャネルの番組コンテンツのブラウジングを図るための番組ブラウジングシステム及び方法に関するものである。
【背景技術】
【０００２】
電子技術のめざましい発展に伴い、業界では番組放送機能を有するさまざまな電子装置が次々と開発されている。汎用のテレビを例として、それが変化に富む情報やスピーディな伝播の特徴を有しているため、使用者がさまざまな番組の受信によって新知識の吸収や最新のニュース情報を得ることができるとともに、エンタテーメント番組の提供によってリラックスや娯楽ができる方式の一つになってきており、よって、日常生活に欠かせない重要な科学技術製品となっている。
【０００３】
しかしながら、テレビ番組のチャネルの急増にしたがって、番組チャネルをいかに速やかに有効にブラウジングすることが注目されている。現在テレビ番組のブラウジング方式としては、使用者がテレビの押しボタンまたはリモコンなどの入力ユニットによって選択し、番組のブラウジングを行うものであるが、この方式では即刻性及び利便性が欠如しており、特にテレビが受信できる番組のチャネルの数量が多いため、番組のブラウジングスピードに大きく影響を与えている。番組のチャネルのブラウジングの毎に一つの番組しかブラウジングすることができないため、すべての番組をブラウジングしようとする場合、時間や精神の浪費が使用者の観賞意欲に大いに影響を与えることなり、しかもテレビの押しボタンまたはリモコンなどの頻繁な操作によって、その使用寿命も相対的に低下していくようになる。
【０００４】
また、マルチ画面方式による表示方法は実用化されつつあり、例えば中国特許出願第９７１０５３３８．３号には、使用者が選択できるように、エディター（ｅｄｉｔｏｒ）によってテレビチャネルの画像を画面に編集して、複数の（マルチ）画面方式によって画面メニューとして表示されるための提案が開示されている。このような番組のブラウジング方式によってチャネルの選択スピードが大幅に向上しているにもかかわらず、この実施方式によるマルチ画面が静止画であり、しかも画面メニューから選択された画面が動画に変換されずに静止画のままであり、その選択された画面に対応するテレビチャネルをフルスクリーン画面で観賞してこそ画面の動的放送が行われるようになっている。従って、この実施方式で番組のコンテンツのブラウジングが行われている場合、各チャネルに対応する画面コンテンツにはある時間帯に持続的に放送される動画がないため、使用者がその静止画のみによってその静止画に表示される番組コンテンツを明確に確認できないことがある。仮に、マルチ画面の番組メニューからいずれかの画面の番組を選択してフルスクリーンの放送を行ったら、所要の番組でなければ、改めてマルチ画面の番組メニューの状態に戻って再び選択するしかないため、使用者の番組のブラウジングへの選択には大変不便である。
【発明の開示】
【発明が解決しようとする課題】
【０００５】
従って、前記従来技術の欠点を解決し、使用者が番組のコンテンツを簡単で容易にブラウジングできるようにするための番組ブラウジングシステム及び方法の提供は、実に解決すべき課題である。
【０００６】
そこで、以上のとおりの事情に鑑み、本発明は、使用者がより速くしかも有効に番組を選択できるように、チャネルの番組コンテンツのブラウジングをマルチ画面によって表示されることで実現し、その選択された画面に対応するチャネルの番組コンテンツを動的に放送させるための、番組ブラウジングシステム及び方法を提供することを目的とする。
【０００７】
また、本発明は、使用者が単一画面表示方式及びマルチ画面表示方式において速やかにしかも繰り返して切り替え処理を実現できるように、番組ブラウジングの時間の短縮化及び操作プロセスの簡単化を図るための、番組ブラウジングシステム及び方法を提供することを目的とする。
【課題を解決するための手段】
【０００８】
上記の課題を解決するために、本発明に係る番組ブラウジングシステム及び方法において、番組ブラウジングシステムは、
表示ユニットを有し、番組放送機能を持つ電子装置に適用され、少なくとも
処理ユニットと、
前記処理ユニットに電気的に接続され、使用者が表示画面の切り替えコマンド及びチャネル選択コマンドを入力し、それを前記処理ユニットに転送するようにするための入力ユニットと、
前記処理ユニットに電気的に接続され、前記処理ユニットが前記入力ユニットからの切り替えコマンドがマルチ画面表示のコマンドであることを受信した場合、複数のチャネルの番組コンテンツを取り入れするようにするための取り入れモジュールと、
前記処理ユニットと取り入れモジュールに電気的に接続され、前記取り入れモジュールにより取り入れされた複数のチャネルの番組コンテンツが記憶され、前記処理ユニットが前記複数のチャネルの番組コンテンツにしたがって前記表示ユニットに少なくとも１ページのマルチ画面方式によって表示させ、前記入力ユニットからのチャネル選択指令が受信された場合、選択コマンドにより指示された画面にしたがって前記画面に対応するチャネルの番組コンテンツを取得し動的に放送させるようにするための記憶ユニットと、
を備える番組ブラウジングシステムである。
【０００９】
前記入力ユニットからの切り替えコマンドにはさらに単一画面表示コマンドを備え、前記処理ユニットが前記入力ユニットからの前記単一画面表示コマンドにしたがって前記表示ユニットに１つのチャネルの番組コンテンツを単一画面で表示させるようにすることである。
【００１０】
さらに、前記処理ユニットは、記憶ユニットに記憶された複数のチャネルの番組コンテンツにしたがって、前記表示ユニットにより複数のチャネルの番組コンテンツに対応する画面を対応する表示ページにページ分け表示方式によってそれぞれ表示させ、前記入力ユニットが受信したページ切り替えコマンドに基づいて前記表示ユニットにページの切り替えを行わせる。
【００１１】
本発明に係る番組ブラウジング方法は、
表示ユニット及び入力ユニットを有し、番組放送機能を持つ電子装置に適用され、少なくとも
前記電子装置が前記入力ユニットがマルチ画面表示の切り替えコマンドを受信したことを判定する場合、複数のチャネルの番組コンテンツを取り入れ記憶するようにするためのステップと、
使用者がブラウジングするように、前記記憶された複数のチャネルの番組コンテンツを読み出し、それを少なくとも１ページであるマルチ画面方式によって前記表示ユニットに表示させるようにするためのステップと、
前記電子装置が前記入力ユニットが所要とするチャネルの番組コンテンツの選択コマンドを受信したことを判定した場合、前記選択コマンドにより指示された画面にしたがって前記画面に対応するチャネルの番組コンテンツを取得し動的に放送させるようにするためのステップと、を備える。
【発明の効果】
【００１２】
本発明に係る番組ブラウジングシステム及び方法によれば、使用者が前記マルチ画面の表示によって選択された画面を即時に放送させることで番組のスピーディなブラウジング及び有効な選択の目的を実現し、しかも、単一画面の表示及びマルチ画面の表示の速やかな切り替えにより、選択の時間の短縮化及び操作プロセスの簡素化を図る。
【発明を実施するための最良の形態】
【００１３】
以下、本発明を実施の形態に基づいてさらに詳細に説明するが、本発明は、これらの実施の形態に限定されるものではなく、明細書に記載の内容によってこの技芸に習熟した者は簡単に本発明のその他の利点や効果が理解できる。本発明は、さらにその他の異なる具体的な実施形態に基づいて実施や応用することができ、本明細書における各詳細な内容は、異なる観点や応用に基づいて、本発明の技術思想の範囲内で数々の変更態様が可能であることは言うまでもない。
【００１４】
図１を参照して、本発明に係る番組ブラウジングシステム１のシステム構造ブロックを模式的に示している。この番組ブラウジングシステム１は、入力ユニット１１と、取り入れモジュール１３と、記憶ユニット１５と、処理ユニットと、を備える。この番組ブラウジングシステム１は、電子装置によるチャネルの番組コンテンツへの放送処理が制御されるように、表示ユニット２０を有する電子装置（図示せず）に適用されることが可能である。この電子装置は、例えばテレビ、携帯電話、ＰＤＡ（Ｐｅｒｓｏｎａｌ  Ｄｉｇｉｔａｌ  Ａｓｓｉｓｔａｎｔ、個人用携帯情報端末）及び携帯画像ディスクプレイヤーであり、この表示ユニット２０は、例えば液晶ディスプレイ（ｌｉｑｕｉｄ  ｃｒｙｓｔａｌ  ｄｉｓｐｌａｙ、ＬＣＤ）、陰極線管（ｃａｔｈｏｄｅ  ｒａｙ  ｔｕｂｅ、ＣＲＴ）ディスプレイまたはプラズマ（ｐｌａｓｍａ）ディスプレイなどである。
【００１５】
入力ユニット１１は、切り替えインタフェース１１１と選択インタフェース１１３とを備える。切り替えインタフェース１１１は、表示ユニット２０による単一スクリーン（画面）表示及びマルチスクリーン（画面）表示である番組画面表示方式を切り替えする。即ち、単一画面表示からマルチ画面表示の状態に変換され、またはマルチ画面表示から単一画面表示の状態に変換されてよく、テレビ（即ちテレビの押しボタン）またはリモコンに設置されることが可能である。本実施形態において、前記切り替えインタフェース１１１は、テレビのリモコンに設けられる切り替えボタン（例えば図２に示す切り替えボタン１１１’）であり、この切り替えボタンに押すだけで、画面表示方式の切り替えを簡単に実現することができる。前記選択インタフェース１１３は、テレビまたはリモコンに設置されることが可能である。本実施形態において、前記選択インタフェース１１３は、テレビのリモコンに設けられる選択ボタン（図２に示す選択ボタン１１３’）である。さらに、前記表示ユニット２０がタッチパネル式である場合、この選択インタフェース１１３が該表示ユニット２０に設けられてもよい。
【００１６】
取り入れモジュール１３は、複数のチャネルの番組コンテンツ（一般に番組またはオーディオ情報を含む）を取り入れし、ある時間帯またはある時点でのテレビチャネル番組を取り入れする。このテレビチャネル番組の数量及び持続時間は、実際の情況に応じて設定することが可能であり、例えば、その数量は、テレビが受信できるすべてのチャネル番組または使用者が常時観賞しているチャネル番組であってよく、テレビまたはテレビチャネル受信機（図示せず）に設けられることが可能である。テレビまたはテレビチャネル受信機がオンである場合、若しくは使用者がチャネル番組をマルチ画面によって表示させるブラウジング機能を起動する場合、若しくはテレビまたはテレビチャネル受信機がオンになってからある時間（例えば１分間または５秒間）おきである場合、前記取り入れモジュール１３はチャネルの番組コンテンツの取り入れ処理を行う。
【００１７】
記憶ユニット１５は、前記取り入れモジュール１３が取り入れたチャネルの番組コンテンツのある時点での静止画を記憶するものであり、メモリまたはレジスターである。前記記憶ユニット１５に記憶された静止画は、取り入れモジュール１３が取り入れたある時点（例えば使用者がチャネル番組をマルチ画面によって表示させるブラウジング機能を起動する場合）での番組の静止画にしたがって記憶を行っているため、その記憶された番組の静止画が、取り入れモジュール１３が実際に受信した番組チャネル内容に基づいて切り替えや更新を行うことができる。ここで、前述の時間帯または時点は、実施形態に応じて異なる設定が可能であり、上記の実施形態のように、取り入れモジュール１３がチャネルの番組コンテンツのある時点での静止画を取り入れすることに限定されるものではなく、即ち、前記記憶ユニット１５に記憶されたチャネルの番組コンテンツは、必要に応じて取り入れモジュール１３が取り入れたチャネルの番組コンテンツにしたがって所定の時点で更新を行うことができる。
【００１８】
処理ユニット１７は、例えば中央プロセッサーユニット（Ｃｅｎｔｒａｌ  Ｐｒｏｃｅｓｓｉｎｇ  Ｕｎｉｔ、ＣＰＵ）、マイクロプロセッサーユニットまたは制御器などであり、該記憶ユニット１５に記憶されたチャネル番組を取り入れして使用者が設定した表示ユニット２０の表示できる画面数量にしたがって記憶ユニット１５に記憶された一部のチャネルの番組コンテンツ（前記記憶ユニット１５に記憶されたすべてのチャネル番組を表示ユニット２０により提供される複数の画面に一度で表示できない場合、ページ分け方式にて次のページに表示させる。ページ分け処理が一般の表示処理の周知の機能であるため、その詳しい説明を省略する）を表示させ、しかも、入力ユニット１１の選択インタフェース１１３が受信した選択信号にしたがって対応する画面の動的即時放送を行う。使用者は表示ユニット２０が単一表示スクリーンにてマルチ画面を表示するように設定した場合、前記表示ユニット２０により表示されるマルチ画面が静止画である。一般的に、この静止画は、取り入れモジュール１３がある時点（例えば使用者がマルチ画面にてチャネル番組を表示させるブラウジング機能を起動する場合）での各番組チャンネルの中から取り出される静止画を取り入れするものである。ただし、使用者は表示ユニット２０に表示されたマルチ画面の中から一つの画面を選択インタフェース１１３により選択した場合、前記処理ユニット１７は、取り入れモジュール１３が該画面に対応する番組チャンネルにしたがって該番組チャネルの番組コンテンツを取り入れするようにすることで、動的即時放送の処理を実現することができる。
【００１９】
使用者は入力ユニット１１の選択インタフェース１１３を介して表示ユニット２０のマルチ画面からあるチャネル番組を選択して、このチャネル番組の一部の内容を動的方式によって放送した後、この内容が所要に合わなければ、前記入力ユニット１１の切り替えインタフェース１１１を介して、表示ユニット２０が該チャネル番組の動的放送を停止し、マルチ画面の静止状態の表示に回復するように制御して、再び必要とするチャネル番組を選択しもよい。
【００２０】
さらに、他の実施形態において、記憶ユニット１５に記憶された内容は、取り入れモジュール１３が取り入れしたチャネル番組の一部であってよい。従って、使用者は選択インタフェース１１３を介して表示ユニット２０に表示されたマルチ画面の中からの１画面を選択した場合、処理ユニット１７が記憶ユニット１５から該画面に対応する番組チャネルの一部を取り出すことができ、動的即時放送の処理を行うことができる。
【００２１】
図２を参照して、本発明に係る番組ブラウジングシステム１の入力ユニット１１の実施形態の応用を模式的に示している。本実施形態における入力ユニット１１は、例えばリモコンであり、上記のように、この入力ユニット１１の主要特徴は、切り替えインタフェース１１１及び選択インタフェース１１３が設けられている点にある。切り替えインタフェース１１１は、例えば切り替えボタン１１１’であり、入力ユニット１１（即ち本実施形態に示すリモコン）を介して表示ユニット２０により提供される単一画面表示やマルチ画面表示であるチャネル画面表示方式の切り替えを行い、この切り替えボタン１１１’に押すだけで、画面表示方式の切り替えを容易に実現することができる。選択インタフェース１１３は、方向ボタン組１１３０及び確認ボタン１１３２からなり、この方向ボタン組１１３０は、さらに、使用者が表示ユニット２０に表示される複数のチャネル画面の間に自由に移動できるように、アップ（ｕｐ）ボタン１１３０ａ、ダウン（ｄｏｗｎ）ボタン１１３０ｂ、レフト（ｌｅｆｔ）ボタン１１３０ｃ及びライト（ｒｉｇｈｔ）ボタン１１３０ｄを備えている。確認ボタン１１３２は、動的即時放送を実現するように、現在選択された画面を確認することで、処理ユニット１７は、該選択された画面に対応するチャネルを取り入れモジュール１３が該チャネルにしたがって取り入れを行うようにする。当然のように、選択インタフェース１１３は、チャネル画面のブラウジング選択を数字押しボタン  セット２１（０、１〜９を含む数字ボタンである）によって実現することも可能である。
【００２２】
図３を参照して、本発明に係る番組ブラウジングシステム１に合わせて適用される、表示ユニット２０の実施形態の表示内容を模式的に示している。チャネル画面３０１は、単一スクリーン画面によって比例に応じて縮小され、表示ユニット２０に複数のチャネル画面３０１が同時に表示され、チャネル画面３０１の数量は、使用者がブラウジングや選択するように、使用者の好み及び表示ユニット２０のスクリーンのサイズにしたがって適当に調整することができる。例えば、表示ユニット２０のサイズに基づいて、それをサイズが同じで規則的に配置されたセグメント３０３に区分して、各チャネル画面３０１を表示させ、その下方には該チャネル画面３０１に対応するチャネルの番組コンテンツを表示するための文字フレーム３０５が設けられている。チャネルの番組コンテンツは、例えばチャネル名称、チャネル番号またはチャネルの番組名称などであり、選択されたチャネル画面３０１がコントラスト輝度の変化及び画面エッジの表示色によって選択中の状態にあると表示されている。図３から、表示ユニット２０に表示されたチャネル８が選択中の状態にあることが分かる。チャネル数量が多すぎると、それらのチャネル画面が一度で全部表示することができない場合、マルチページ方式によって表示することができる。従って、表示ユニット２０に表示された画面には、ページ番号選択項目３０７が設けられており、このページ番号選択項目３０７は、前スクロールメッセージボックス３０７ａ及び後スクロールメッセージボックス３０７ｂを備え、さらに現在のマルチ画面の現在のページ番号を表示するためのページ番号表示フィールド３０９を備えている。使用者は入力ユニット１１を介してページ切り替えのコマンドを入力することにより、表示ユニット２０がページの切り替えを行うことができる。
【００２３】
従って、本発明に係る番組ブラウジングシステム１では、番組ブラウジングをマルチ画面によって表示し、選択された画面を動的に放送することが有効に実現されているため、使用者が番組の画像をより速やかに有効に選択することができ、チャネル内容へのブラウジング時間の短縮化や操作プロセスの簡素化を達成することができる。
【００２４】
図４を参照して、本発明に係る番組ブラウジング方法のフローを模式的に示している。本発明に係る番組ブラウジングシステム１が適用されたテレビ（図示せず）がターンオン（ｔｕｒｎ  ｏｎ）した後、その表示ユニット２０は、一般に受信されたあるチャネルの番組コンテンツを単一画面にて表示させ、そして図４に示すステップＳ１に入り、処理ユニット１７が入力ユニット１１の切り替えインタフェース１１１からの画面切り替えコマンドを受信したかを判定し、受信した場合、ステップＳ２に入り、受信していなかった場合、ステップＳ１２に入る。即ち、該テレビが現在受信しているあるチャネル番組を、続けて単一画面にて放送する。
【００２５】
ステップＳ２において、処理ユニット１７が切り替えインタフェース１１１からの切り替えコマンドを受信した後、取り入れモジュール１３は複数のチャネルの番組コンテンツを取り入れし、このチャネルの番組コンテンツの数量は、受信可能のあらゆるチャネル番組または使用者が常時に最も観賞しているチャネル番組であってよく、ある時点（例えば使用者がチャネル番組をマルチ画面によって表示させるブラウジング機能を起動する場合）での静止画であり、そしてステップＳ３に入る。
【００２６】
Ｓ３において、後の処理が行われるように、取り入れモジュール１３により取り入れされた複数のチャネル番組の静止画（画像）を記憶ユニット１５に記憶する。該静止画はランダムで取り入れされるものであってもよく、そしてステップＳ５に入る。
【００２７】
ステップＳ５において、取り入れモジュール１３はすべてのチャネル番組を取り入れたかどうかを判定し、取り入れた場合、ステップＳ６に入り、取り入れしていなかった場合、前記ステップＳ２に戻る。取り入れモジュール１３が各チャネルからのチャネルの番組コンテンツを連続的にまたは間欠的に受信しているため、その取り入れされたあるチャネルの番組コンテンツがターンオン後またはこの前の時点（例えば１０分前）で取り入れされた可能性があるため、各チャネルにしたがって識別を行うことができる。例えば、取り入れされたチャネルをフラッグ（ｆｌａｇ）方式にて該チャネルからの番組信号を取り入れることを記録することにより、いずれかのチャネルからのチャネルの番組コンテンツのロスを回避することができるとともに、アクセスされるチャネル番組が重複しないようにもできる。
【００２８】
ステップＳ６において、使用者がブラウジング及び選択するように、処理ユニット１７はチャネルの番組コンテンツに代表される複数の静止画を受信しマルチ画面形式にて表示ユニット２０に表示させる。それらの画面は、単一画面にて比例に応じて縮小され、表示ユニット２０に規則的に配列された複数の画面が同時に表示される。また、各画面には画面に対応するチャネルの番組コンテンツを表示するための文字フレームが設けられている。チャネル数量が多すぎると、それらのチャネル画面が単一画面にて全部表示することができない場合、マルチページ方式によって表示することができる。従って、図３に示す表示ユニット２０に表示された画面の如く、使用者が表示ユニット２０が現在表示可能のページ分け画面の総数量及び現在所在のページを判定するように、表示ユニット２０に表示された表示画面には同時にページ番号選択項目が設けられており、そしてステップＳ７に入る。
【００２９】
ステップＳ７において、使用者は表示ユニット２０からの静的状態であるマルチ画面にしたがって、そのチャネルが現在放送している番組の内容を概ねに理解することができる。仮に、その静止画によっても具体的な放送内容を確実に理解できない場合、方向ボタン組１１３０及び確認ボタン１１３２を含む選択インタフェース１１３を介して選択することができる。同様に、表示ユニット２０による表示画面であるページ番号選択項目３０７の内容にしたがって選択インタフェース１１３を操作することにより、ページスクロール（即ちページ切り替えコマンドの入力）の作業を行う。このように、使用者は、その中から興味のある番組画面を迅速に選択することができ、そしてステップＳ８に入る。
【００３０】
ステップＳ８において、処理ユニット１７は、入力ユニット１１の選択インタフェース１１３からの選択信号が静止画であるかどうか、即ち、使用者が入力ユニット１１を介して表示ユニット２０に表示されたマルチ画面の中の静止画において選択しているかどうかを判定し、ＹＥＳである場合、ステップＳ９に入り、逆に、ＮＯである場合、ステップＳ８を続けて、引き続き使用者が所要な放送のチャネル番組を確認したかどうかを判定する。
【００３１】
ステップＳ９において、入力ユニット１１が表示ユニット２０に表示されたマルチ画面の中の１静止画における選択時間の長短にかかわらず、処理ユニット１７は、選択インタフェース１１３からの静止画確認にしたがって該画面に対応するチャネルを判定し、取り入れモジュール１３が該チャネルの番組コンテンツをアクセスし、そしてステップＳ１０に入る。
【００３２】
ステップＳ１０において、処理ユニット１７は、表示ユニット２０を元の静止画面において取り入れモジュール１３がアクセスしたチャネルの番組コンテンツにて即時に動的放送させ、そしてステップＳ１１に入る。表示ユニット２０の現在表示されている表示ページは、各画面に対応するチャネルの番組コンテンツをマルチ画面方式にて表示させているとともに、使用者の選択した画面が該画面の表示領域において該画面に対応するチャネルの番組コンテンツを放送していることにより、このステップでは使用者がチャネルの番組内容を詳細に理解することができる。
【００３３】
ステップＳ１１において、処理ユニット１７は、入力ユニット１１の切り替えインタフェース１１１からの画面切り替えコマンドが受信されたかどうかを判定し、ＹＥＳである場合、ステップＳ１２に戻る。即ち、テレビが現在マルチチャネル画面表示の状態にあり、この場合、受信された切り替えコマンドにしたがって、マルチ画面表示から単一画面表示に変換される。表示されたチャネルの番組コンテンツは、ステップＳ９においてアクセスされたチャネルからのチャネルの番組コンテンツにしたがって、当然のように、異なる実施形態（例えばテレビのターンオン時のチャネルの番組コンテンツなど）にしたがって所要とするチャネルの番組コンテンツを表示することもできる。逆に、ステップＳ１０において選択されたチャネル番組を動的に所定の時間で放送させた後、処理ユニット１７は、入力ユニット１１の切り替えインタフェース１１１からの画面切り替えコマンドを受信していなかった場合、使用者に興味のあるチャネル番組を表示ユニット２０が続けてマルチ画面表示方式にて選択させるように、ステップＳ７に戻る。
【００３４】
他の実施形態においては、ステップＳ９において、処理ユニット１７は、使用者が入力ユニット１１を介して入力した選択信号の時間の長短にかかわらず、選択インタフェース１１３により確認された静止画にしたがって、取り入れモジュール１３がチャネルの番組コンテンツにアクセスして動的放送を行うほか、処理ユニット１７はまた選択インタフェース１１３の確認ボタン１１３２からの静止画確認にしたがって、取り入れモジュール１３が該画面に対応する番組チャネルにしたがってチャネルの番組コンテンツのアクセスを行うことにより、動的即時放送処理を実現することができる。
【００３５】
本発明に係る番組ブラウジングシステム及び方法によれば、マルチ画面の表示により、使用者の選択した画面に動的即時放送され、番組のスピーディなブラウジング及び有効選択を実現することができるとともに、単一表示画面とマルチ表示画面とを速やかに繰り返して切り替えることにより、選択時間の短縮化及び操作プロセスの簡素化を図る。
【００３６】
上記のように、これらの実施の形態は本発明を例示する目的で示すものであり、本発明は、これらによって何ら限定されるものではない。本発明に係る実質的な技術内容は、下記の特許請求の範囲に定義される。本発明はこの技術分野に精通したものが特許請求の範囲を脱しない範囲で色々な修飾や変更が可能であり、そうした修飾や変更は本発明の技術範囲に入るものである。
【図面の簡単な説明】
【００３７】
【図１】本発明に係る番組ブラウジングシステムの基本構造ブロックを模式的に示す図。
【図２】本発明に係る番組ブラウジングシステムの入力ユニットの実施形態の応用を模式的に示す図。
【図３】本発明に係る番組ブラウジングシステムに合わせて適用される、表示ユニットの実施形態の表示内容を模式的に示す図。
【図４】本発明に係る番組ブラウジング方法のフローを模式的に示す図。
【符号の説明】
【００３８】
１  番組ブラウジングシステム
１１  入力ユニット
１１１  切り替えインタフェース
１１３  選択インタフェース
１１３０  方向ボタン組
１１３０ａ  アップボタン
１１３０ｂ  ダウンボタン
１１３０ｃ  レフトボタン
１１３０ｄ  ライトボタン
１１３２  確認ボタン
１３  取り入れモジュール
１５  記憶ユニット
１７  処理ユニット
２０  表示ユニット
２１  数字押しボタン組
３０１  チャネル画面
３０３  セグメント
３０５  文字フレーム
３０７  ページ番号選択項目
３０７ａ  前スクロールメッセージボックス
３０７ｂ  後スクロールメッセージボックス
３０９  ページ番号表示フィールド
Ｓ１〜Ｓ１０  ステップ
【図１】
2007028571.tif 000003
【図２】
2007028571.tif 000004
【図３】
2007028571.tif 000005
【図４】
2007028571.tif 000006